(57)【要約】【課題】ゴーストやフレアの発生を抑止し、表示素子および反射部材の設計の自由度を高くすることのできるファインダ装置を提供する。【解決手段】絞り、シャッタスピード等の撮影情報を表示させるための表示素子５からの光束を反射部材６により反射させてペンタプリズム１に入射させることなく接眼レンズ４に入射させる（すなわち、光路Ｘ全体がペンタプリズム１の外部にある）。これによって、ファインダ視野９内に撮影情報の表示１１が得られる。【選択図】  図１
2005025033.tif 000002
【特許請求の範囲】
【請求項１】
被写体からの光束が入射される第１面部および前記光束が出射される第２面部を有するペンタプリズムと、前記第２面部に近設され、前記被写体からの光束を入射させる接眼レンズと、絞り、シャッタスピード等の撮影情報を表示させるための表示素子と、前記表示素子からの光束を反射させる反射部材とを具備し、前記反射部材は、前記表示素子からの光束を前記ペンタプリズムに入射させない光路を通じて前記接眼レンズに入射させることを特徴とするファインダ装置。
【請求項２】
ペンタプリズムは、前記表示素子からの光束が通過する領域近傍の外側表面に遮光部を設けてなる請求項１記載のファインダ装置。
【発明の詳細な説明】
【０００１】
【発明の属する技術分野】
本発明は、一眼レフカメラ等のカメラに用いられるファインダ装置に関し、特に、撮影情報をファインダ視野内に表示可能なファインダ装置に関する。
【０００２】
【従来の技術】
一眼レフカメラにおいて、被写体の実像をファインダ表示枠の視野範囲内の中心部に表示するとともに、絞りやシャッタ速度等の撮影情報をファインダ表示枠の視野範囲内の周辺部に表示可能なファインダ装置が公知である。このようなファインダ装置としては、例えば、特許文献１により開示されている。図５は従来のファインダ装置の側面図である。
【０００３】
従来のファインダ装置は、図５に示されるように、被写体からの光束を対物レンズ２０を介してペンタプリズム１３の底面部１４から入射させ、ペンタプリズム１３内で反射させてペンタプリズム１３の後面部１５から出射させ、後面部１５に配設される接眼レンズ１６の中心部に入射させてファインダ視野内の中心部に正立正像の被写体像を得ることができる。
【０００４】
一方、ペンタプリズム１３の近傍に絞りやシャッタスピード等の撮影情報を表示する表示素子１７が設けられ、表示素子１７からの光束を反射部材１８を介してペンタプリズム１３の所定面１９から入射させ、ペンタプリズム１３内で反射させてペンタプリズム１３の後面部１５から出射させ、接眼レンズ１６の周辺部に入射させてファインダ視野内の周辺部に撮影情報を被写体像とともに得ることができる。
【０００５】
【特許文献１】
特開平６−１６０９４１号公報
【０００６】
【発明が解決しようとする課題】
しかし、このようなファインダ装置には以下のような問題があった。すなわち、上記のようなファインダ装置は、被写体からの光束と表示素子１７からの光束とを同時にペンタプリズム１３内に入射させているため、ペンタプリズム１３のコバ面（レンズ切削面）で反射が起こり、ゴーストやフレアの現象を引き起こす問題があった。ファインダ装置内でゴーストやフレアの現象が生じると、カメラに捕捉されている被写体の撮影についての正確な情報が読み取れず適正な撮影を行うことができない場合がある。
【０００７】
また、ペンタプリズム１３は、被写体からの光束を適正に入射かつ出射させることを主眼に設計されるため、表示素子１７からの光束の光路設計は２次的で自由度が少ない場合があった。特に、ファインダ装置に表示素子１７および反射部材１８の配置可能な場所は限られているため、この限られた場所の中からペンタプリズム１３内で反射させて接眼レンズ１６の適正位置に撮影情報を表示することは困難な場合があった。
【０００８】
本発明は、かかる従来技術の問題点を解決するべくなされたもので、ゴーストやフレアの発生を抑止し、表示素子および反射部材の設計の自由度を高くすることのできるファインダ装置を提供することを目的とする。
【０００９】
【課題を解決するための手段】
本発明の請求項１に記載のファインダ装置は、被写体からの光束が入射される第１面部および前記光束が出射される第２面部を有するペンタプリズムと、第２面部に近設され、前記被写体からの光束を入射させる接眼レンズと、絞り、シャッタスピード等の撮影情報を表示させるための表示素子と、前記表示素子からの光束を反射させる反射部材とを具備し、前記反射部材は、前記表示素子からの光束を前記ペンタプリズムに入射させない光路を通じて、前記接眼レンズに入射させるものである。
【００１０】
本発明のファインダ装置によれば、被写体からの光束をペンタプリズムの第１面部から入射させ、ペンタプリズム内で反射させてペンタプリズムの第２面部から出射させ、第２面部に配設される接眼レンズに入射させてファインダ視野内に正立正像の被写体像が得られる。
【００１１】
また、絞り、シャッタスピード等の撮影情報を表示するための表示素子からの光束を反射部材により反射させてペンタプリズムに入射させることなく接眼レンズに入射させる（すなわち、光路全体がペンタプリズムの外部にある）。これによって、ファインダ視野内に撮影情報の表示が得られる。
【００１２】
このように、表示素子からの光束をペンタプリズムに入射させないことによって、ゴーストやフレアの発生の原因をなくし、これらの発生を抑止することができる。したがって、カメラに捕捉されている被写体の写りについての正確な情報を読み取って適正な撮影を行うことができる。
【００１３】
また、表示素子をファインダ視野内に表示させるための設計をペンタプリズムの設計とは別に行うことができるため、ペンタプリズムの設計に依存することなく、表示素子および反射部材の設計の自由度を高くすることができる。したがって、ファインダ視野内における撮影情報の表示を任意の位置に適正かつ容易に表示させることができる。
【００１４】
さらに、ファインダ装置を組み立てる際、ファインダ視野内に表示される被写体像および撮影情報の表示のそれぞれについて適正な視度調整を行う必要がある。撮影情報の表示について視度調整を行う場合、表示素子から接眼レンズまでの光路距離を調整するが、表示素子からの光束は、ペンタプリズム内を通過させないので、当該光路距離は、ペンタプリズム内を通過させる従来例に比べ、かなり短くなる。したがって、調整幅が少なくてすむため、ファインダ視野内の適正箇所に正確かつ容易に撮影情報を表示させることができる。
【００１５】
本発明の請求項２に記載のファインダー装置は、ペンタプリズムに、表示素子からの光束が通過する領域近傍の外側表面に遮光部を設けるように構成される。
【００１６】
この場合、ペンタプリズムの外側表面に設けられた遮光部により、表示素子からの光束がペンタプリズム内に入射されることを効果的に防止することができる。したがって、ゴーストやフレアの発生をより効果的に抑止することができる。また特に、近年のカメラの小型化の要求に対応するためには、ファインダ装置も小型化する必要がある。この場合、表示素子および反射部材をペンタプリズムに出来る限り近づけて配置することが考えられる。ペンタプリズムに近づけて配置するとその分表示素子からの光束がペンタプリズム内に入射する可能性が高まるため、遮光部を設けることは、特に効果的である。これにより、ファインダ装置の小型化にも対応することができる。
【００１７】
【発明の実施の形態】
以下、添付図面を参照しつつ、本発明の一実施の形態を説明する。図１は本発明に係る一実施の形態のファインダ装置の上面図であり、図２は図１のＡ方向側面図であり、図３は図１の底面側からの斜視図である。また、図４は図１のファインダ装置において接眼レンズから見たときのファインダ表示枠のファインダ視野を表す概略図である。
【００１８】
本実施形態のファインダ装置は、図１〜図３に示されるように、被写体からの光束が入射される第１面部である底面部２および前記光束が出射される第２面部である後面部３を有するペンタプリズム１と、後面部３に近設され前記被写体からの光束を入射させる対物レンズ８と、絞り、シャッタスピード等の撮影情報を表示するための表示素子５と、表示素子５からの光束を反射させる反射部材６とを具備し、反射部材６は表示素子５からの光束を前記ペンタプリズム１の外部を通じて接眼レンズ４に入射させるものである。
【００１９】
本実施形態のファインダ装置によれば、被写体からの光束を対物レンズ８を介してペンタプリズム１の底面部２から入射させ（図２の光路ａ）、ペンタプリズム１内で反射させる（光路ｂ）。そして、反射後の光束をペンタプリズム１の後面部３から出射させ（光路ｃ）、後面部３に配設される接眼レンズ４の中心部に入射させる。こうして、図４に示すように、ファインダ視野９内の枠１０に被写体像が得られる。
【００２０】
また、絞り、シャッタスピード等の撮影情報を表示するための表示素子５からの光束を反射部材６により反射させてペンタプリズム１に入射させることなく接眼レンズ４に入射させる（すなわち、図１の光路Ｘのように光路Ｘ全体がペンタプリズム１の外部にある）。本実施形態においては、表示素子５がペンタプリズム１の前方に横向き配置されており、表示素子５からの光束が反射部材６で反射されて、ペンタプリズム１の外部側方を通過して接眼レンズ４の周辺部に入射される。こうして、図４に示すように、ファインダ視野９内の周辺部の例えば被写体像の枠１０の左側に撮影情報の表示１１が得られる。
【００２１】
このように、表示素子５からの光束をペンタプリズム１に入射させないことによって、ゴーストやフレアの発生の原因をなくし、それらの発生を抑止することができる。したがって、カメラに捕捉されている被写体の写りについての正確な情報を読み取って適正な撮影を行うことができる。
【００２２】
また、表示素子５をファインダ視野９内に表示させるための設計をペンタプリズム１の設計とは別に行うことができるため、ペンタプリズム１の設計に依存することなく、表示素子５および反射部材６の設計の自由度を高くすることができる。したがって、ファインダ視野９内における撮影情報の表示１１を任意の位置に適正かつ容易に表示させることができる。
【００２３】
さらに、ファインダ装置を組み立てる際、ファインダ表示枠のファインダ視野９内に表示される被写体像１０および撮影情報の表示１１のそれぞれについて適正な視度調整を行う必要がある。撮影情報の表示１１について視度調整を行う場合、表示素子５から接眼レンズ４までの光路距離を調整するが、表示素子５からの光束は、ペンタプリズム１内を通過させないので、当該光路距離は、ペンタプリズム１内を通過させる従来例に比べ、かなり短くなる。したがって、調整幅が少なくてすむため、ファインダ視野９内の適正箇所に正確かつ容易に撮影情報の表示１１を行うことができる。
【００２４】
また、本実施形態において、ペンタプリズム１は、表示素子５からの光束が通過する領域近傍の外側表面に遮光部７を設けるように構成される。本実施形態においては、表示素子５がペンタプリズム１の前方に横向き配置されており、表示素子５からの光束が反射部材６で反射されて、ペンタプリズム１の外部側方を通過して接眼レンズ４に入射される。したがって、ペンタプリズム１の前面部から反射部材６で反射された表示素子５からの光束がペンタプリズム１の内部へ入射する可能性があるため、当該前面部に遮光部７が設けられる。なお、遮光部７としては、遮光性の塗料を塗布するか又は遮光性の例えば樹脂の板材と貼付ける等して遮光膜をペンタプリズム１の外側表面に塗布することにより形成することができる。
【００２５】
このため、ペンタプリズム１の外側表面に設けられた遮光部７により、表示素子５からの光束がペンタプリズム１内に入射されることを効果的に防止することができる。したがって、ゴーストやフレアの発生をより効果的に抑止することができる。また特に、近年のカメラの小型化の要求に対応するためには、ファインダ装置も小型化する必要がある。この場合、表示素子５および反射部材６をペンタプリズム１になるべく近づけて配置することが考えられる。ペンタプリズム１に近づけて配置するとその分表示素子５からの光束がペンタプリズム１内に入射する可能性が高まるため、遮光部を設けることは、特に効果的である。これにより、ファインダ装置の小型化にも対応することができる。
【００２６】
なお、遮光部７を設ける部位は、表示素子５および反射部材６の形状・配置等により種々の変更が可能である。また、接眼レンズ４および対物レンズ８が配置される面以外の外側表面すべてに遮光部７を設けることとしてもよい。この場合、表示素子５からの光束がいずれの面からもペンタプリズム１内に入射することを防止することができるため、表示素子５および反射部材６の形状・配置等によらず、また、設計変更が生じてもゴーストやフレアの発生を効果的に抑止することができる。
【００２７】
上記実施形態においては、表示素子５からの光束がペンタプリズム１の外部側方を通過して接眼レンズ４に入射されるように、表示素子５および反射部材６を配置しているが、ペンタプリズム１の外部下方または外部上方を通過するべく設計することも可能である。また、反射部材６の取り付け角度やその枚数も本発明の趣旨を逸脱しない範囲で適宜変更可能である。
【００２８】
さらに、本実施形態においては撮影情報の表示１１は、被写体像１０の左側に表示されているが、ファインダ視野９内に適正に表示される限り、いずれの位置に表示するべく設計してもよい。被写体像１０にヘッドアップディスプレイのように重複表示することとしてもよい。
【００２９】
また、表示素子５は、発光ダイオードのセグメント表示や液晶表示によりカメラ本体（図示せず）からの撮影情報に応じて表示発光する。撮影情報の表示態様は、絞り、シャッタスピード等の各数値をそのまま表示したり、グラフ表示（例えば、高い数値レベルほど点灯表示される領域が増加する等）により表示したり、明滅速度を数値レベルに応じて変化させて表示したり等、種々の態様が適用可能である。
【００３０】
【発明の効果】
本発明に係るファインダ装置によれば、表示素子からの光束をペンタプリズムに入射させないことによって、ゴーストやフレアの発生の原因を阻止することができ、これらの発生を抑止することができる。
【００３１】
また、表示素子をファインダ視野内に表示させるための設計をペンタプリズムの設計とは別に行うことができるため、ペンタプリズムの設計に依存することなく、表示素子および反射部材の設計の自由度を高くすることができる。したがって、ファインダ視野内に撮影情報を任意の位置に容易に表示させることができる。
【００３２】
さらに、撮影情報の表示について視度調整を行う場合、表示素子から接眼レンズまでの光路距離を調整することによって行うが、表示素子からの光束は、ペンタプリズム内を通過させないので、当該光路距離は、ペンタプリズム内を通過させる従来例に比べ、かなり短くなる。したがって、調整幅が少なくてすむため、ファインダ視野内の適正箇所に正確かつ容易に撮影情報を表示させることができる。
【図面の簡単な説明】
【図１】本発明に係る一実施の形態のファインダ装置の上面図
【図２】図１のＡ方向側面図
【図３】図１の底面側からの斜視図
【図４】図１のファインダ装置において接眼レンズから見たときのファインダ視野を表す概略図
【図５】従来のファインダ装置の側面図
【符号の説明】
１  ペンタプリズム
２  底面部
３  後面部
４  接眼レンズ
５  表示素子
６  反射部材
７  遮光部
【図１】
2005025033.tif 000003
【図２】
2005025033.tif 000004
【図３】
2005025033.tif 000005
【図４】
2005025033.tif 000006
【図５】
2005025033.tif 000007